(57)【特許請求の範囲】
【請求項１】
外郭を構成する本体と、前記本体の上面に設けたトッププレートと、前記トッププレート上に設けた３つの誘導加熱部と、前記トッププレートの下方に前記誘導加熱部に対応して設けた誘導加熱手段と、本体前面に設けた焙焼器と、前記焙焼器の内部に具備した電気抵抗発熱式加熱手段と、加熱手段に対応して前記トッププレート前方で前記トッププレート略同一面に設けた加熱調理条件等を入力する上操作部およびその操作内容を表示する上表示部と、前記本体の前面に設けた加熱調理条件等を入力する前操作部およびその操作内容を表示する前表示部と、を備え、３つの前記誘導加熱部に対応して設けた前記誘導加熱手段の操作入力は前記上操作部に集約され、かつ前記電気抵抗発熱式加熱手段の操作入力は前記前操作部に集約された誘導加熱式調理器。
【請求項２】
トッププレート上の手前側に２箇所、奥側に設けられた誘導加熱部の上操作部と上表示部は、手前側に設けられた２つの誘導加熱部の上操作部と上表示部より奥側に配置された請求項１に記載の誘導加熱式調理器。
【請求項３】
トッププレート上の手前側略中央部に、３つの誘導加熱部の加熱状態が確認できるインジケータをそれぞれに対応させて設けた請求項１または２に記載の誘導加熱式調理器。
【請求項４】
加熱状態が確認できるインジケータの近傍に、それぞれの誘導加熱部の温度が高温になった際の高温注意表示部を設けた請求項３に記載の誘導加熱式調理器。
【請求項５】
外郭を構成する本体と、前記本体の上面に設けたトッププレートと、前記トッププレート上に設けた３つの誘導加熱部と、前記トッププレートの下方に前記誘導加熱部に対応して設けた誘導加熱手段と、本体前面に設けた焙焼器と、前記焙焼器の内部に具備した電気抵抗発熱式加熱手段と、加熱手段に対応して前記トッププレート略同一面に設けた加熱調理条件等を入力する上操作部およびその操作内容を表示する上表示部と、前記本体の前面に設けた加熱調理条件等を入力する前操作部およびその操作内容を表示する前表示部と、前記３つの誘導加熱部の加熱状態が確認でき前記トッププレート上に設けたインジケータと、を備え、前記誘導加熱手段の操作入力は前記上操作部、前記電気抵抗発熱式加熱手段の操作入力は前記前操作部でおこなう構成とした誘導加熱式調理器であって、前記インジケ
ータをリング状に形成し、その中央にそれぞれの前記誘導加熱部の温度が高温になった際の高温注意表示部を設けた誘導加熱式調理器。
【請求項６】
前操作部は軸枢支され、回動自在に開閉する構成とした請求項１〜５のいずれか１項に記載の誘導加熱式調理器。
【請求項７】
３つの誘導加熱部の操作を無効にする操作無効手段を回動自在の前操作部に設けた請求項６に記載の誘導加熱式調理器。
【発明の詳細な説明】
【技術分野】
【０００１】
本発明は、一般家庭のキッチンで使用する誘導加熱式調理器に関するものである。
【背景技術】
【０００２】
従来、この種の誘導加熱式調理器は、図８に示すように、本体ケース１と、その上方を覆うトッププレート２と、本体正面を構成する魚焼き庫（焙焼器）３、およびその前面を構成する扉部４と、スイッチつまみ等を有する操作部５と、流し台等に設置された際に、本体側方と流し台の隙間を覆い隠すための右サイドカバー６と、同じく左サイドカバー７から構成されている。
【０００３】
トッププレート２の上面手前左右には、誘導加熱ヒーターを示すサークル８、９が描かれており、また奥側に電気抵抗発熱式ヒーターを示すサークル１０が描かれ、それぞれトッププレート２の下方に各ヒーターが具備されている（例えば、特許文献１参照）。
【０００４】
この種の誘導加熱式調理器では、この例に示すように３つの加熱部をトッププレート上に配置する構成が一般的である。
【０００５】
操作部５には、誘導加熱ヒーター、電気抵抗発熱式ヒーター、焙焼器３のそれぞれの操作手段１１がほぼ同一エリアに配置されている。
【０００６】
トッププレートの最前方には、加熱の状態がわかる表示部１２が設けられている。
【特許文献１】特開２００３−２０８９７０号公報
【発明の開示】
【発明が解決しようとする課題】
【０００７】
しかしながら、前記従来の構成では、左右誘導加熱ヒーターと電気抵抗発熱式ヒーター、焙焼器（加熱ヒーターは電気抵抗発熱式ヒーターであるシーズヒーターが一般的）の４つの機能の操作手段がほぼ同一面の操作部にあるため、操作のためのキーレイアウトが煩雑になり、使用者にとってたいへん使いづらい構成であるという課題を有していた。
【０００８】
また、誘導加熱ヒーターと電気抵抗発熱式ヒーター、焙焼器の各キーが必然的に近接しているため、誤って意図するキーと別のキーを押してしまい、電気抵抗発熱式ヒーターが知らない間に赤熱していたり、焙焼器の扉部のガラス窓が非常に高温になっていたりして、不意のやけど等の危険性があるという課題も有していた。
【０００９】
本発明は、前記従来の課題を解決するもので、複数の加熱手段を加熱方式別に分離し、それぞれの操作キーがわかりやすく、誤って操作してしまうことのない使い勝手の良い安全性を向上させた誘導加熱式調理器を提供することを目的とする。
【課題を解決するための手段】
【００１０】
前記従来の課題を解決するために、本発明の誘導加熱式調理器は、外郭を構成する本体と、前記本体の上面に設けたトッププレートと、前記トッププレート上に設けた３つの誘導加熱部と、前記トッププレートの下方に前記誘導加熱部に対応して設けた誘導加熱手段と、本体前面に設けた焙焼器と、前記焙焼器の内部に具備した電気抵抗発熱式加熱手段と、加熱手段に対応して前記トッププレート前方で前記トッププレート略同一面に設けた加熱調理条件等を入力する上操作部およびその操作内容を表示する上表示部と、前記本体の前面に設けた加熱調理条件等を入力する前操作部およびその操作内容を表示する前表示部と、を備え、３つの前記誘導加熱部に対応して設けた前記誘導加熱手段の操作入力は前記上操作部に集約され、かつ前記電気抵抗発熱式加熱手段の操作入力は前記前操作部に集約されたものである。
【００１１】
これによって、３つの誘導加熱部の操作入力は、トッププレート上面の上操作部に集約しており、また焙焼器の操作入力は、前操作部に集約しているため、操作部エリアを充分に確保することができ、キーレイアウトも余裕を持ってわかりやすく配置することができる上に、頻繁に使用する誘導加熱部の操作部、表示部を上面に配置したために普段の使い勝手も著しく向上し、また不意に動作してしまうと高温になってしまう焙焼器の操作部を前面に配置しているので誤って押してしまうこともなく、安全性の著しい向上も図れるものである。
【００１２】
また、本発明の誘導加熱式調理器は、トッププレート上の手前側に２箇所、奥側に１箇所設けられた３つの誘導加熱部のうち、奥側に設けられた誘導加熱部の上操作部と上表示部は、手前側に設けられた２つの誘導加熱部の上操作部と上表示部より奥側に配置された構成としたものである。
【００１３】
これによって、３つの誘導加熱部の配置レイアウトにほぼ近い形態でそれぞれの操作部と表示部が配置されるため、使用者は対応する加熱部が容易に認識でき、使い勝手の向上が図れるものである。
【００１４】
また、本発明の誘導加熱式調理器は、トッププレート上の手前側略中央部に、３つの誘導加熱部の加熱状態が確認できるインジケータをそれぞれに対応させて設けた構成としたものである。
【００１５】
これによって、使用者はどの加熱部が動作中か一目で確認することができ、さらなる使い勝手の向上が図れるものである。
【００１８】
また、本発明の誘導加熱式調理器は、加熱状態が確認できるインジケータの近傍に、それぞれの誘導加熱部の温度が高温になった際の高温注意表示部を設けた構成としたものである。
【００１９】
これによって、使用者はどの加熱部が動作中か一目で確認することができるとともに、どの誘導加熱部が高温になり、注意を払う必要があるかが容易に認識でき、使い勝手の向上と高温注意啓蒙による安全性の向上が図れるものである。
【００２０】
また、本発明の誘導加熱式調理器は、外郭を構成する本体と、前記本体の上面に設けたトッププレートと、前記トッププレート上に設けた３つの誘導加熱部と、前記トッププレートの下方に前記誘導加熱部に対応して設けた誘導加熱手段と、本体前面に設けた焙焼器と、前記焙焼器の内部に具備した電気抵抗発熱式加熱手段と、加熱手段に対応して前記トッププレート略同一面に設けた加熱調理条件等を入力する上操作部およびその操作内容を表示する上表示部と、前記本体の前面に設けた加熱調理条件等を入力する前操作部およびその操作内容を表示する前表示部と、前記３つの誘導加熱部の加熱状態が確認でき前記トッププレート上に設けたインジケータと、を備え、前記誘導加熱手段の操作入力は前記上操作部、前記電気抵抗発熱式加熱手段の操作入力は前記前操作部でおこなう構成とした誘導加熱式調理器であって、前記インジケータをリング状に形成し、その中央にそれぞれの誘導加熱部の温度が高温になった際の高温注意表示部を設けた構成としたものである。
【００２１】
これによって、どの誘導加熱部が高温になり、注意を払う必要があるかがさらに容易に認識でき、高温注意啓蒙による安全性のさらなる向上が図れるものである。
【００２２】
また、本発明の誘導加熱式調理器は、前操作部は軸枢支され、回動自在に開閉する構成としたものである。
【００２３】
これによって、不意に動作してしまうと高温になってしまう焙焼器の操作部を使用しないときは閉状態に保つことができ、不意の誤入力を防止することができるものである。
【００２４】
また、本発明の誘導加熱式調理器は、トッププレート上に設けられた３つの誘導加熱部の操作を無効にする操作無効手段を回動自在の前操作部に設けた構成としたものである。
【００２５】
これによって、トッププレート略同一面に配置されているため、子供のいたずら等で入力操作されやすい上操作部の操作を、閉状態に保つことが可能な開閉式操作部で無効にすることができるため、より安全性の向上が図れるものである。
【発明の効果】
【００２６】
本発明の誘導加熱式調理器は、天面に設けた３つの誘導加熱部の操作部と、前面に設けた焙焼器の操作部を集約して分離することによりわかりやすくし、誤って操作してしまうことのない使い勝手と安全性の向上を図ることができる。
【発明を実施するための最良の形態】
【００２７】
第１の発明は、外郭を構成する本体と、前記本体の上面に設けたトッププレートと、前記トッププレート上に設けた３つの誘導加熱部と、前記トッププレートの下方に前記誘導加熱部に対応して設けた誘導加熱手段と、本体前面に設けた焙焼器と、前記焙焼器の内部に具備した電気抵抗発熱式加熱手段と、加熱手段に対応して前記トッププレート前方で前記トッププレート略同一面に設けた加熱調理条件等を入力する上操作部およびその操作内容を表示する上表示部と、前記本体の前面に設けた加熱調理条件等を入力する前操作部およびその操作内容を表示する前表示部と、を備え、３つの前記誘導加熱部に対応して設けた前記誘導加熱手段の操作入力は前記上操作部に集約され、かつ前記電気抵抗発熱式加熱手段の操作入力は前記前操作部に集約されたことにより、３つの誘導加熱部の操作入力は、トッププレート上面の上操作部に集約しており、また焙焼器の操作入力は、前操作部に
集約しているため、操作部エリアを充分に確保することができ、キーレイアウトも余裕を持ってわかりやすく配置することができる上に、頻繁に使用する誘導加熱部の操作部、表示部を上面に配置したために普段の使い勝手も著しく向上し、また不意に動作してしまうと高温になってしまう焙焼器の操作部を前面に配置しているので誤って押してしまうこともなく、安全性の著しい向上も図れるものである。
【００２８】
第２の発明は、トッププレート上の手前側に２箇所、奥側に１箇所設けられた３つの誘導加熱部のうち、奥側に設けられた誘導加熱部の上操作部と上表示部は、手前側に設けられた２つの誘導加熱部の上操作部と上表示部より奥側に配置された構成としたことにより、３つの誘導加熱部の配置レイアウトにほぼ近い形態でそれぞれの操作部と表示部が配置されるため、使用者は対応する加熱部が容易に認識でき、使い勝手の向上が図れるものである。
【００２９】
第３の発明は、トッププレート上の手前側略中央部に、３つの誘導加熱部の加熱状態が確認できるインジケータをそれぞれに対応させて設けた構成としたことにより、使用者はどの加熱部が動作中か一目で確認することができ、さらなる使い勝手の向上が図れるものである。
【００３１】
第４の発明は、加熱状態が確認できるインジケータの近傍に、それぞれの誘導加熱部の温度が高温になった際の高温注意表示部を設けた構成としたことにより、使用者はどの加熱部が動作中か一目で確認することができるとともに、どの加熱部が高温になり、注意を払う必要があるかが容易に認識でき、使い勝手の向上と高温注意啓蒙による安全性の向上が図れるものである。
【００３２】
第５の発明は、外郭を構成する本体と、前記本体の上面に設けたトッププレートと、前記トッププレート上に設けた３つの誘導加熱部と、前記トッププレートの下方に前記誘導加熱部に対応して設けた誘導加熱手段と、本体前面に設けた焙焼器と、前記焙焼器の内部に具備した電気抵抗発熱式加熱手段と、加熱手段に対応して前記トッププレート略同一面に設けた加熱調理条件等を入力する上操作部およびその操作内容を表示する上表示部と、前記本体の前面に設けた加熱調理条件等を入力する前操作部およびその操作内容を表示する前表示部と、前記３つの誘導加熱部の加熱状態が確認でき前記トッププレート上に設けたインジケータと、を備え、前記誘導加熱手段の操作入力は前記上操作部、前記電気抵抗発熱式加熱手段の操作入力は前記前操作部でおこなう構成とした誘導加熱式調理器であって、前記インジケータをリング状に形成し、その中央にそれぞれの誘導加熱部の温度が高温になった際の高温注意表示部を設けた構成としたことにより、どの誘導加熱部が高温になり、注意を払う必要があるかがさらに容易に認識でき、高温注意啓蒙による安全性のさらなる向上が図れるものである。
【００３３】
第６の発明は、前操作部は軸枢支され、回動自在に開閉する構成としたことにより、不意に動作してしまうと高温になってしまう焙焼器の操作部を使用しないときは閉状態に保つことができ、不意の誤入力を防止することができるものである。
【００３４】
第７の発明は、トッププレート上に設けられた３つの誘導加熱部の操作を無効にする操作無効手段を回動自在の前操作部に設けた構成としたことにより、トッププレート略同一面に配置されているため、子供のいたずら等で入力操作されやすい上操作部の操作を、閉状態に保つことが可能な開閉式操作部で無効にすることができるため、より安全性の向上が図れるものである。
【００３５】
以下、本発明の実施の形態及び参考の形態について、図面を参照しながら説明する。なお、この実施の形態及び参考の形態によって本発明が限定されるものではない。
【００３６】
（実施の形態１）
図１は、本発明の第１の実施の形態における誘導加熱式調理器の斜視図を示すものである。
【００３７】
図１において、調理器本体２１（誘導加熱調理器）は流し台２２の上面開口部（図示せず）から挿入設置されている。調理器本体２１は、外郭ケース２３、上面を覆うトッププレート２４で形成されており、トッププレート２４には左誘導加熱ヒーター部２５と、右誘導加熱ヒーター部２６と、奥誘導加熱ヒーター部２７が配置されている。それぞれのヒーター部の下方には、加熱調理を行うための誘導加熱コイルが具備されている。
【００３８】
また、トッププレート２４の前方には、３箇所の誘導加熱ヒーターのすべての操作を行う上操作部２８が配置され、その通電状態等を確認するための上表示部２９が設けられている。
【００３９】
調理器本体２１の前面には、左側に魚を焼くための焙焼器３０、それを覆う扉部３１、右側に焙焼器３０を操作するための前操作部３２、その通電状態等を確認するための前表示部３３を有している。前操作部３２は、下方を軸３４で軸支され、回動自在に開閉する構成としている。
【００４０】
以上のように構成された組込式調理器について、以下その動作、作用を説明する。
【００４１】
この構成によって、３箇所の誘導加熱ヒーターの操作入力は、トッププレート２４上面の上操作部２８に集約しており、焙焼器３０のヒーター（電気抵抗発熱式加熱ヒーター：一般的にはシーズヒーター）の操作入力は、前操作部３２に集約しているため、操作部エリアを充分に確保することができ、キーレイアウトも余裕を持ってわかりやすく配置することができる上に、頻繁に使用する誘導加熱ヒーターの３つの上操作部２８を上面に配置したために普段の使い勝手も著しく向上し、また不意に動作してしまうと高温になってしまう電気抵抗発熱式ヒーターの前操作部３２を誤って押してしまうこともなく、安全性の著しい向上も図れるものである。
【００４２】
また、前操作部３２を回動自在に構成したことにより、不意に動作してしまうと高温になってしまう焙焼器３０の操作をしないときは閉状態に保つことができ、不意の誤入力をさらに防止することができるものである。
【００４３】
（実施の形態２）
図２は、本発明の第２の実施の形態の誘導加熱式調理器の平面図である。
【００４４】
図２において、トッププレート４１上に、手前側に左誘導加熱ヒーター部４２と右誘導加熱ヒーター部４３、奥側に奥誘導加熱ヒーター部４４を設け、奥誘導加熱ヒーター部４４の上操作部４５と上表示部４６は他の２つの上操作部・表示部より奥側に配置したものである。
【００４５】
以上のように構成された組込式調理器について、以下その動作、作用を説明する。
【００４６】
この構成によって、３つの誘導加熱ヒーター部の配置レイアウトにほぼ近い形態でそれぞれの上操作部と上表示部が配置されるため、使用者は対応する加熱部が容易に認識でき、使い勝手の向上が図れるものである。
【００４７】
（実施の形態３）
図３は、本発明の第３の実施の形態の誘導加熱式調理器の平面図である。
【００４８】
図３において、トッププレート５１上の手前側略中央部に、３つの誘導加熱ヒーター部５２の加熱状態が確認できるインジケータ５３をそれぞれに位置対応させて設けた構成としたものである。
【００４９】
以上のように構成された組込式調理器について、以下その動作、作用を説明する。
【００５０】
この構成によって、使用者はどの加熱ヒーター部が動作中か一目で確認することができ、さらなる使い勝手の向上が図れるものである。
【００５１】
（参考の形態１）
図４は、本発明の第１の実施の形態の誘導加熱式調理器の平面図である。
【００５２】
図４において、トッププレート６１の手前側に３つの誘導加熱ヒーター部６２の加熱状態が確認できるインジケータ６３を設け、その近傍に焙焼器の通電状態がわかるグリルインジケータ６４を設けたものである。
【００５３】
以上のように構成された組込式調理器について、以下その動作、作用を説明する。
【００５４】
この構成によって、本体前方に位置し、比較的状況が確認しにくい焙焼器の動作状況が、かがまなくても容易にトッププレート６１上を見ることによってわかるため、使い勝手の著しい向上が図れるものである。
【００５５】
（実施の形態４）
図５は、本発明の第４の実施の形態の誘導加熱式調理器の平面図である。
【００５６】
図５において、トッププレート７１の手前側に３つの誘導加熱ヒーター部７２の加熱状態が確認できるインジケータ７３を設け、その近傍にそれぞれの加熱ヒーター部の温度が高温になった際の高温注意表示部７４を設けたものである。
【００５７】
以上のように構成された組込式調理器について、以下その動作、作用を説明する。
【００５８】
この構成によって、使用者はどの加熱ヒーター部が動作中か一目で確認することができるとともに、どの加熱ヒーター部が高温になり、注意を払う必要があるかが容易に認識でき、使い勝手の向上と高温注意啓蒙による安全性の向上が図れるものである。
【００５９】
（実施の形態５）
図６は、本発明の第５の実施の形態の誘導加熱式調理器の平面図である。
【００６０】
図６において、トッププレート８１の手前側に３つの誘導加熱ヒーター部８２の加熱状態が確認できるインジケータ８３をリング状に設け、その中央にそれぞれの加熱ヒーター部の温度が高温になった際の高温注意表示部８４を設けたものである。
【００６１】
以上のように構成された組込式調理器について、以下その動作、作用を説明する。
【００６２】
この構成によって、使用者はどの加熱部が高温になり、注意を払う必要があるかがさらに容易に認識でき、高温注意啓蒙による安全性のさらなる向上が図れるものである。
【００６３】
（実施の形態６）
図７は、本発明の第６の実施の形態の誘導加熱式調理器の斜視図である。
【００６４】
図７において、トッププレート９１上に設けられた３つの誘導加熱ヒーター部９２の操作を無効にする操作無効手段（ロックキー）９３を回動自在の前操作部９４に設けた構成としたものである。
【００６５】
以上のように構成された組込式調理器について、以下その動作、作用を説明する。
【００６６】
この構成によって、トッププレート９１の略同一面に配置されているために子供のいたずら等で入力操作されやすい上操作部９５の操作を、閉状態に保つことが可能な開閉式の前操作部９４で無効にすることができるため、より安全性の向上が図れるものである。
【産業上の利用可能性】
【００６７】
以上のように、本発明の誘導加熱式調理器は、天面に設けた３つの誘導加熱部の操作部と、前面に設けた焙焼器の操作部を分離することによりわかりやすくし、誤って操作してしまうことのない使い勝手と安全性の向上を図ることができるものであり、誘導加熱方式のヒーターを含むあらゆる組み合わせの複合調理器に適用できるものである。
【図面の簡単な説明】
【００６８】
【図１】本発明の第１の実施の形態における誘導加熱式調理器の斜視図
【図２】本発明の第２の実施の形態における誘導加熱式調理器の平面図
【図３】本発明の第３の実施の形態における誘導加熱式調理器の平面図
【図４】本発明の第１の参考の形態における誘導加熱式調理器の平面図
【図５】本発明の第４の実施の形態における誘導加熱式調理器の平面図
【図６】本発明の第５の実施の形態における誘導加熱式調理器の平面図
【図７】本発明の第６の実施の形態における誘導加熱式調理器の斜視図
【図８】従来の誘導加熱式調理器の斜視図
【符号の説明】
【００６９】
２１  調理器本体
２２  流し台
２３  外郭ケース
２４、４１、５１、６１、７１、８１、９１  トッププレート
２５、４２  左誘導加熱ヒーター部
２６、４３  右誘導加熱ヒーター部
２７、４４  奥誘導加熱ヒーター部
２８、４５、９５  上操作部
２９、４６  上表示部
３０  焙焼器
３１  扉部
３２、９４  前操作部
３３  前表示部
３４  軸
５２、６２、７２、８２、９２  誘導加熱ヒーター部
５３、６３、７３、８３  インジケータ
６４  グリルインジケータ
７４、８４  高温注意表示部
９３  操作無効手段（ロックキー）
【図１】
0004407640.tif 000002
【図２】
0004407640.tif 000003
【図３】
0004407640.tif 000004
【図４】
0004407640.tif 000005
【図５】
0004407640.tif 000006
【図６】
0004407640.tif 000007
【図７】
0004407640.tif 000008
【図８】
0004407640.tif 000009